(57)【要約】      （修正有）【課題】発光部の発光時に発生する有害な電磁波を効果的に吸収して有効な波長のみを出力することができる有効波長出力促進のためのＬＥＤモジュールを提供すること。【解決手段】有効波長出力促進のためのＬＥＤモジュールは、電気エネルギーの供給を受けて光を生成する発光部１１０と、電磁波を吸収するフレーム部１２０と制御部を含む。発光部は、３つのＬＥＤ光源を含むことができ、第１光源は４６０ｎｍないし４７０ｎｍの波長を出力し、第２光源は６２０ｎｍないし６８０ｎｍの波長を出力し、第３光源は７６０ｎｍないし９００ｎｍの波長を出力する。【選択図】図３
2019041103.tif 000002
【特許請求の範囲】
【請求項１】
電気エネルギーの供給を受けて光を生成する発光部、及び
前記発光部が設置される設置空間が形成され、前記発光部で発生する電磁波を吸収するフレーム部を含む有効波長出力促進のためのＬＥＤモジュール。
【請求項２】
前記フレーム部は、
基板層と、前記設置空間が形成され導電物質で設けられる第１吸収層と、前記第１吸収層と前記基板層の間に設置され、前記電磁波を吸収するように磁性物質で設けられる第２吸収層を含む、請求項１に記載の有効波長出力促進のためのＬＥＤモジュール。
【請求項３】
前記第１吸収層は、
前記電磁波によって表面に誘導電流が発生し、内部抵抗に前記誘導電流が印加されるに伴って熱エネルギーを発生させることにより前記電磁波を吸収することを特徴とする、請求項２に記載の有効波長出力促進のためのＬＥＤモジュール。
【請求項４】
前記第１吸収層は、
ポリピロールまたはポリアニリンを含むように設けられる、請求項３に記載の有効波長出力促進のためのＬＥＤモジュール。
【請求項５】
前記第２吸収層は、
前記電磁波によって磁気緩和して前記電磁波を吸収することを特徴とする、請求項４に記載の有効波長出力促進のためのＬＥＤモジュール。
【請求項６】
前記第２吸収層は、
フェライトを含むように設けられる、請求項５に記載の有効波長出力促進のためのＬＥＤモジュール。
【発明の詳細な説明】
【技術分野】
【０００１】
本発明は、有効波長出力促進のためのＬＥＤモジュールに関するもので、発光部の発光時に発生する有害な電磁波を効果的に吸収して有効な波長のみを出力することができる有効波長出力促進のためのＬＥＤモジュールに関する。
【背景技術】
【０００２】
赤外線は波長が長いので微粒子による散乱効果が小さくて、人体への浸透効果が高く、表皮層と内部層を同時に均一に加熱することができて、皮膚美容、医療的治療に効果がある。
【０００３】
近来に赤外線が、皮膚再生及び各種疾病に効果があることが広く知られて、赤外線を発生させるＬＥＤモジュールを用いた多くの装置が研究、開発されている。
【０００４】
ＬＥＤモジュールは、人体に有益な赤外線を発生させると同時に、人体に有害な電磁波を共に放出する。したがって、ＬＥＤモジュールを用いた皮膚美容装置、治療装置を使用することにより人体が電磁波に長期間露出する場合、電磁波による副作用、すなわち、睡眠障害、消化障害、頭痛、不妊等の各種疾病が引き起こされ得る。
【発明の概要】
【発明が解決しようとする課題】
【０００５】
本発明の目的は、上述した従来の問題点を解決するためのものであり、発光部の発光時に発生する有害な電磁波を効果的に吸収して有効な波長のみを出力することができる有効波長出力促進のためのＬＥＤモジュールを提供することにある。
【課題を解決するための手段】
【０００６】
前記目的は、本発明によって、電気エネルギーの供給を受けて光を生成する発光部、及び前記発光部が設置される設置空間が形成され、前記発光部で発生する電磁波を吸収するフレーム部を含む有効波長出力促進のためのＬＥＤモジュールによって達成される。
【０００７】
また、前記フレーム部は、基板層と、前記設置空間が形成され導電物質で設けられる第１吸収層と、前記第１吸収層と前記基板層の間に設置され、前記電磁波を吸収するように磁性物質で設けられる第２吸収層を含むことができる。
【０００８】
また、前記第１吸収層は、前記電磁波によって表面に誘導電流が発生し、内部抵抗に前記誘導電流が印加されるに伴って熱エネルギーを発生させることにより前記電磁波を吸収することができる。
【０００９】
また、前記第１吸収層は、ポリピロール（Ｐｏｌｙｐｙｒｏｌｅ）またはポリアニリン（Ｐｏｌｙａｎｉｌｉｎｅ）を含むように設けられることができる。
【００１０】
また、前記第２吸収層は、前記電磁波によって磁気緩和（Ｍａｇｎｅｔｉｃ  Ｒｅｌａｘａｔｉｏｎ）して前記電磁波を吸収することができる。
【００１１】
また、前記第２吸収層は、フェライト（Ｆｅｒｒｉｔｅ）を含むように設けられることができる。
【発明の効果】
【００１２】
本発明によれば、発光部の発光時に、人体に有益な有効波長以外の有害な電磁波が吸収されることができる。これによれば、人体が長期間ＬＥＤモジュールに露出しても、電磁波による副作用が最小化されることができる。
【図面の簡単な説明】
【００１３】
【図１】本発明の一実施例に係る有効波長出力促進のためのＬＥＤモジュールの斜視図である。
【図２】本発明の一実施例に係る有効波長出力促進のためのＬＥＤモジュールの切断面を示した図である。
【図３】本発明の一実施例に係る有効波長出力促進のためのＬＥＤモジュールの側断面を示した図である。
【図４】本発明の一実施例に係る有効波長出力促進のためのＬＥＤモジュールのフレーム部が発光部で発生する電磁波を吸収する過程を示した図である。
【発明を実施するための形態】
【００１４】
以下、本発明の一部実施例を例示的な図面を介して詳細に説明する。各図面の構成要素に参照符号を付加するにおいて、同一の構成要素については、たとえ他の図面上に表示されていても、可能な限り同一の符号を持つようにしていることに留意しなければならない。
【００１５】
そして発明の実施例を説明するにおいて、関連した公知構成または機能についての具体的な説明が、本発明の実施例に対する理解を妨害すると判断される場合には、その詳細な説明は省略する。
【００１６】
また、本発明の実施例の構成要素を説明するにおいて、第１、第２、Ａ、Ｂ、（ａ）、（ｂ）等の用語を使用することができる。このような用語は、その構成要素を他の構成要素と区別するためのものであるだけで、その用語によって該当構成要素の本質や順番または順序等が限定されない。
【００１７】
以下、添付された図面を参照して本発明の一実施例に係る有効波長出力促進のためのＬＥＤモジュールについて詳しく説明する。
【００１８】
図１は本発明の一実施例に係る有効波長出力促進のためのＬＥＤモジュールの斜視図で、図２は本発明の一実施例に係る有効波長出力促進のためのＬＥＤモジュールの切断面を示した図で、図３は本発明の一実施例に係る有効波長出力促進のためのＬＥＤモジュールの側断面を示した図で、図４は本発明の一実施例に係る有効波長出力促進のためのＬＥＤモジュールのフレーム部が発光部で発生する電磁波を吸収する過程を示した図である。
【００１９】
図１ないし図４に示されたように、本発明の一実施例に係る有効波長出力促進のためのＬＥＤモジュール１００は、発光部１１０と、フレーム部１２０と制御部を含む。
【００２０】
発光部１１０は、電気エネルギーの供給を受けて光を生成するものであり、後述するフレーム部１２０が形成する設置空間に設置される。
【００２１】
上述した発光部１１０は、３つの光源、すなわち、３つのＬＥＤを含むことができるが、各光源は互いに異なる波長領域を形成するように設けられることができる。すなわち、例えば、第１光源は４６０ｎｍないし４７０ｎｍの波長を出力するＬＥＤで設けられることができ、第２光源は６２０ｎｍないし６８０ｎｍの波長を出力するＬＥＤで設けられることができ、第３光源は７６０ｎｍないし９００ｎｍの波長を出力するＬＥＤで設けられることができる。
【００２２】
４６０ｎｍないし４７０ｎｍの赤外線波長の場合、表皮細胞を活性化させ、血流量を増加させて皮膚組職を活性化することにより皮膚の再生を大きく増大させる効果があるものと知られており、６２０ｎｍないし６８０ｎｍの赤外線波長の場合、表皮細胞の清潔を維持してにきび、毛嚢炎等の皮膚トラブルを防止する効果があるものと知られており、また、７６０ｎｍないし９００ｎｍの波長の赤外線の場合、前記２つの波長領域帯を有する光と共に使用される場合、その効果をさらに向上させる効果があるものと知られている。
【００２３】
したがって、第１光源と第２光源と第３光源を含む発光部１１０によれば、多様な皮膚疾病を効果的に、治療、予防することができる効果がある。
【００２４】
上述したように、発光部１１０から照射される赤外線によれば、皮膚の疾病を予防することができるが、発光部１１０で赤外線が生成される時に、これと共に人体に有害な電磁波が生成され得る。
【００２５】
前記電磁波は、人体に長期間照射される場合、睡眠障害、消化障害、頭痛、不妊等の各種疾病を引き起こし得る。したがって、発光部１１０の動作時に発生する電磁波が除去される必要性がある。
【００２６】
フレーム部１２０は、上述した発光部１１０が設置される設置空間が形成され、発光部１１０で発生する電磁波を吸収するものであって、カバー１０と本体２０に収容される。
【００２７】
上述したフレーム部１２０は、基板層１２１と、第１吸収層１２２と、第２吸収層１２３を含む。
【００２８】
基板層１２１は、後述する第１吸収層１２２と第２吸収層１２３が形成される空間を提供するものであり、合成樹脂材で設けられることができるが、セリウム、トルマリン、ゲルマニウムを含むことができる。
【００２９】
セリウム（Ｃｅ、Ｃｅｒｉｕｍ）は、原子番号５８番で、ランタノイドに属する希土類元素である。セリウムは４００ｎｍ以下の紫外線を吸収する性質があり、紫外線殺菌装置やサングラスのレンズに使用される。
【００３０】
トルマリン（Ｔｏｕｒｍａｌｉｎｅ）は、水晶のような結晶構造を持つ六方晶系に属する鉱物で、鉄、マグネシウム、アルカリ金属等とアルミニウムで構成されるホウケイ酸塩である。このようなトルマリンは、内部原子の不規則な動きによって陰イオンを発生する性質がある。
【００３１】
ゲルマニウム（Ｇｅ、Ｇｅｒｍａｎｉｕｍ）は原子番号３２番で、周期律表１４族、４周期に属する炭素族元素である。整流性質があって、整流器、トランジスタ、半導体等に広く使われる。
【００３２】
上述したように、セリウムは紫外線を吸収する性質があり、トルマリンは陰イオンを発生させて電磁波を相殺する効果があり、ゲルマニウムは整流性質によって電磁波を吸収することができる効果がある。したがって、セリウムとトルマリンとゲルマニウムを適切な比率で配合して基板層１２１を形成する場合、後述する第１吸収層１２２及び第２吸収層１２３によって吸収され残った電磁波及び低周波数領域帯の電磁波が基板層１２１で吸収、除去されることができる効果がある。（３次吸収）
第１吸収層１２２は、発光部１１０で発生する電磁波を１次的に吸収するように導電物質で設けられるものであり、発光部１１０が設置される設置空間が形成され、後述する第２吸収層１２３の上面に設置される。
【００３３】
導電物質に電磁波が入射される場合、表面に誘導電流が発生するが、このとき、発生した誘導電流は、導電物質内部の抵抗に印加され、これによって、抵抗に熱エネルギーが発生する。上述した過程によれば、導電物質に入射した電磁波が熱エネルギー形態に交換され、結果的に除去される。
【００３４】
このような導電物質は、ポリピロール（Ｐｏｌｙｐｙｒｏｌｅ）またはポリアニリン（Ｐｏｌｙａｎｉｌｉｎｅ）を含む高分子で設けられることが望ましい。なぜなら、導電物質の場合、ドーピング程度によって電導性が調節（すなわち、電磁波吸収波長帯を調節することが可能）されるが、ポリピロールまたはポリアニリン基盤の導電物質の場合、ドーピングが相対的に容易であるからである。
【００３５】
一方、導電物質で設けられる第１吸収層１２２がフレーム部１２０の最上面に形成される理由は、熱エネルギーが外部に放出されるのを容易にするためである。
【００３６】
上述したような第１吸収層１２２によれば、発光部１１０で発生する電磁波が１次的に吸収され、熱エネルギー形態で除去されることができる。
【００３７】
第２吸収層１２３は、発光部１１０で発生する電磁波を２次的に吸収するように磁性物質で設けられるものであり、上述した基板層１２１と第１吸収層１２２の間に設置される。
【００３８】
磁性物質に電磁波が入射する場合、磁性物質が特定周波数領域帯（ＭＨｚないしＧＨｚ領域）で磁気緩和（Ｍａｇｎｅｔｉｃ  Ｒｅｌａｘａｔｉｏｎ）して電磁波を吸収する。
【００３９】
このような磁性物質は、フェライト（Ｆｅｒｒｉｔｅ）を含むように設けられることが望ましい。フェライト基盤の磁性物質は、電磁波吸収領域帯が広いだけでなく、加工が容易でレイヤー（Ｌａｙｅｒ）形態に製作するのが容易だからである。
【００４０】
上述した第２吸収層１２３によれば、発光部１１０で発生する電磁波が２次的に除去されることができる。このとき、除去される電磁波の波長は高周波数領域である。
【００４１】
上述したように、基板層１２１と、第１吸収層１２２と、第２吸収層１２３を含むフレーム部１２０によれば、発光部１１０で発生する電磁波が、まず、１次的に第１吸収層１２２で全体的に吸収された後、２次的に第２吸収層１２３で高周波数領域帯の電磁波がまた吸収され、３次的に基板層１２１で低周波数領域帯の電磁波がまた吸収される。したがって、フレーム部１２０によれば、発光部１１０で発生する有効波長、すなわち赤外線領域帯以外の、多様な波長帯の有害な電磁波が効果的に吸収されることができる。
【００４２】
図面には示されてないが、制御部は上述した発光部１１０を制御するものであって、本体２０に電気的に連結、設置されることができる。
【００４３】
このような制御部は、使用者の操作によって上述した第１光源と第２光源と第３光源のうちいずれか一つ以上を選択的に点灯させることにより、使用者の人体に照射される赤外線の波長を調節する。
【００４４】
また、制御部は、発光部１１０から現在発生している赤外線波長についての情報の伝達を受けて、外部の端末機（使用者が所持する）に伝達することができる。このような制御部によると、使用者が現在発光部１１０で発生している赤外線波長についての情報を容易に把握することができるようになる効果がある。
【００４５】
また、制御部は、上述した端末機によって遠隔で操作されるように設けられることができる。このような制御部によると、使用者が制御部を直接的に操作せず、自分が使用する端末機を使用して赤外線波長を遠隔で容易に調節することができる効果がある。
【００４６】
上述したように、発光部１１０と、フレーム部１２０と制御部を含む本発明の一実施例に係る有効波長出力促進のためのＬＥＤモジュール１００によれば、発光部１１０の発光時に、有効波長（４６０ｎｍないし９００ｎｍ）以外の有害な電磁波が効果的に吸収されることができる。これによれば、人体が長期間ＬＥＤモジュールに露出しても、電磁波による副作用が最小化されることができる。
【００４７】
以上において、本発明の実施例を構成する全ての構成要素が、一つに結合するか結合して動作するものと説明されたからといって、本発明が必ずしもこのような実施例に限定されるものではない。すなわち、本発明の目的の範囲内であれば、その全ての構成要素が一つ以上で選択的に結合して動作することもできる。
【００４８】
また、以上で記載した「含む」、「構成する」または「有する」等の用語は、特別に反対になる記載がない限り、該当構成要素が内在し得ることを意味するものであるため、他の構成要素を除外するものではなく、他の構成要素をさらに含むことができるものと解釈されるべきである。技術的や科学的な用語を含む全ての用語は、異なって定義されない限り、本発明が属する技術分野で通常の知識を有する者によって一般的に理解されるものと同一の意味がある。辞書に定義された用語のように一般的に使用される用語は、関連技術の文脈上の意味と一致するものと解釈されるべきであり、本発明で明白に定義しない限り、理想的や過度に形式的な意味に解釈されない。
【００４９】
そして以上の説明は、本発明の技術思想を例示的に説明したものに過ぎないものであり、本発明が属する技術分野で通常の知識を有する者ならば、本発明の本質的な特性から逸脱しない範囲で多様な修正及び変形が可能なものである。
【００５０】
したがって、本発明に開示された実施例は、本発明の技術思想を限定するためのものではなく説明するためのものであり、このような実施例よって本発明の技術思想の範囲が限定されるものではない。本発明の保護範囲は、下記の請求範囲によって解釈されるべきであり、それと同等な範囲内にある全ての技術思想は、本発明の権利範囲に含まれるものと解釈されるべきものである。
【符号の説明】
【００５１】
１０：カバー
２０：本体
１００：本発明の一実施例に係る有効波長出力促進のためのＬＥＤモジュール
１１０：発光部
１２０：フレーム部
１２１：基板層
１２２：第１吸収層
１２３：第２吸収層
【図１】
2019041103.tif 000003
【図２】
2019041103.tif 000004
【図３】
2019041103.tif 000005
【図４】
2019041103.tif 000006